(57)【特許請求の範囲】
【請求項１】
音声入力を行う音声入力部と、
情報を表示する第１の出力部と、
画面表示以外の方法で情報を出力する第２の出力部と、
前記音声入力部への前記音声入力があった時点に基づいて姿勢を検出する検出部と、
前記検出部により検出された姿勢に基づいて、前記第１の出力部又は前記第２の出力部のいずれかに前記音声入力に対する応答を出力させるように制御する制御部と、
を備えることを特徴とする情報出力装置。
【請求項２】
前記検出部は、前記音声入力部への前記音声入力があった時点と、さらに前記音声入力に対する応答の出力時の姿勢を検出し、
前記制御部は、前記音声入力に対する応答の出力時において、前記検出部により検出された前記音声入力部への前記音声入力があった時点の姿勢及び前記音声入力に対する応答の出力時の姿勢に基づいて、前記第１の出力部又は前記第２の出力部のいずれかに前記音声入力に対する応答を出力させるように制御することを特徴とする請求項１に記載の情報処理装置。
【請求項３】
前記制御部は、前記音声入力に対する応答の出力時において、前記検出部により前記音声入力部への前記音声入力があった時点の姿勢が検出された場合には、前記第１の出力部により前記音声入力に対する応答を表示させるように制御し、前記音声入力部への前記音声入力があった時点の姿勢以外の姿勢が検出された場合には、前記第２の出力部により前記音声入力に対する応答を出力させるように制御する、
ことを特徴とする請求項２に記載の情報出力装置。
【請求項４】
前記検出部は、前記音声入力部への前記音声入力前の姿勢と、さらに前記音声入力に対する応答の出力時の姿勢とを検出し、
前記制御部は、
前記音声入力に対する応答の出力時に、前記検出部により前記音声入力前の姿勢が検出された場合には、前記第２の出力部により前記音声入力に対する応答を出力させるように制御する、
ことを特徴とする請求項１乃至３の何れかに記載の情報出力装置。
【請求項５】
前記検出部は、前記音声入力部への前記音声の入力前後の姿勢を検出し、
前記制御部は、前記検出部により前記音声入力部への前記音声の入力前後で検出された姿勢に変化があった場合には、前記第１の出力部により前記音声入力に対する応答を表示させるように制御し、前記音声入力部への音声の入力前後で検出された姿勢に変化がなかった場合には、前記第２の出力部により前記音声入力に対する応答を出力させるように制御することを特徴とする請求項１乃至４の何れかに記載の情報出力装置。
【請求項６】
前記第２の出力部は、音又は振動によって前記音声入力に対する応答を出力する、
ことを特徴とする請求項１乃至５に記載の情報出力装置。
【請求項７】
使用者の腕に装着して使用するリスト型端末として構成される、
ことを特徴とする請求項１乃至６の何れか１項に記載の情報出力装置。
【請求項８】
音声入力を行う音声入力部と、情報を表示する第１の出力部と、画面表示以外の方法で情報を出力する第２の出力部と、を備える情報出力装置で実行される情報出力方法であって、
前記音声入力部への前記音声入力があった時点に基づいて姿勢を検出して
検出された前記姿勢に基づいて、前記第1の出力部又は前記第２の出力部のいずれかに前記音声入力に対する応答を出力させること
を含む情報出力方法。
【請求項９】
音声入力を行う音声入力部と、情報を表示する第１の出力部と、画面表示以外の方法で情報を出力する第２の出力部と、を備える情報出力装置を制御するコンピュータを、
前記音声入力部への前記音声入力があった時点に基づいて姿勢を検出する検出部と、
前記検出部により検出された姿勢に基づいて、前記第1の出力部又は前記第２の出力部のいずれかに前記音声入力に対する応答を出力させるように制御する制御部と
として機能させることを特徴とするプログラム。
【発明の詳細な説明】
【技術分野】
【０００１】
本発明は、情報出力装置、情報出力方法及びプログラムに関する。
【背景技術】
【０００２】
従来より、ユーザの腕に装着して使用するリスト型端末がある。このようなリスト型端末においては、入力に応じて情報を画面や画面以外の音や振動で出力する技術がある（特許文献１参照）。
【先行技術文献】
【特許文献】
【０００３】
【特許文献１】特開２００２−２２３４７５号公報
【発明の概要】
【発明が解決しようとする課題】
【０００４】
しかしながら、上述した特許文献１に記載の技術では、例えば、車の運転中等の何かの動作を行っているときに、画面に情報を提示されても見られない場合があるという問題があった。一方で、画面を見られる状態にも関わらず音や振動等で情報を出力した場合には、ユーザの満足する情報量で提示を行うことができないという問題がある。
【０００５】
本発明は、このような状況に鑑みてなされたものであり、ユーザの状態に適した情報の出力を行うことを目的とする。
【課題を解決するための手段】
【０００６】
上記目的を達成するため、本発明の一態様の情報出力装置は、
音声入力を行う音声入力部と、
情報を表示する第１の出力部と、
画面表示以外の方法で情報を出力する第２の出力部と、
前記音声入力部への前記音声入力があった時点に基づいて姿勢を検出する検出部と、
前記検出部により検出された姿勢に基づいて、前記第１の出力部又は前記第２の出力部のいずれかに前記音声入力に対する応答を出力させるように制御する制御部と、
を備えることを特徴とする。
【発明の効果】
【０００７】
本発明によれば、ユーザの状態に適した情報の出力を行うことができる。
【図面の簡単な説明】
【０００８】
【図１】本発明の一実施形態に係る携帯端末のハードウェアの構成を示すブロック図である。
【図２】本実施形態の携帯端末を使用した状態を示す模式図である。
【図３】本実施形態の携帯端末を使用した状態を示す模式図である。
【図４】図１の携帯端末の機能的構成のうち、音声応答確認処理を実行するための機能的構成を示す機能ブロック図である。
【図５】図４の機能的構成を有する図１の携帯端末が実行する音声応答確認処理の流れを説明するフローチャートである。
【発明を実施するための形態】
【０００９】
以下、本発明の実施形態について、図面を用いて説明する。
【００１０】
図１は、本発明の一実施形態に係る携帯端末のハードウェアの構成を示すブロック図である。
携帯端末１は、例えばスマートウォッチとして構成される。
【００１１】
携帯端末１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、センサ部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、センサ部１６、入力部１７、出力部１８、記憶部１９、通信部２０及びドライブ２１が接続されている。
【００１５】
センサ部１６は、機器の状態の変化を移動量として計測する。本実施形態において、センサ部１６は、３軸地磁気センサと、３軸加速度センサとにより構成される。
３軸地磁気センサは、例えば外部磁界の変動に応じてインピーダンスが変化するＭＩ素子を用いて検出した地磁気の３軸（Ｘ，Ｙ，Ｚ）成分を表す３軸地磁気データを出力する。３軸加速度センサは、ピエゾ抵抗型もしくは静電容量型の検出機構により３軸加速度成分を検出して３軸成分毎の加速度データを出力する。なお、３軸加速度センサにより検出される３軸成分は、３軸地磁気センサの３軸（Ｘ，Ｙ，Ｚ）成分にそれぞれ対応する。
【００１６】
入力部１７は、各種釦等で構成され、ユーザの指示操作に応じて各種情報を入力する。また、入力部１７は、音声入力可能なマイク等で構成され、音声による指示操作を可能にする。
【００１７】
出力部１８は、ディスプレイやスピーカ等で構成され、画像や音声を出力する。
【００１８】
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
このように構成される携帯端末１においては、音声での入力を行い、応答を表示や音声・振動で通知する機能を有する。携帯端末１において音声入力は、ユーザの口元に近づけて行い、通知を画面で確認する場合には、目視可能な距離まで顔に近づけて行う。
本実施形態の携帯端末１においては、音声入力を行った姿勢を検出し、応答を通知する際に音声入力を行った時の姿勢である場合には、携帯端末１が顔に近づいており、目視可能な範囲にあるとして画面表示を行う。また、応答を通知する際に音声入力を行った時の姿勢ではない場合には、当該姿勢のままでは目視可能な状態ではないため、目視以外の音声や振動による通知を行う。本実施形態の携帯端末１は、リスト型端末で手首に装着しているために、通知が音声の場合には、音が聞こえる範囲に常に携帯端末１が位置しているために、姿勢を変えることなく音を聞くことができる。また、通知が振動の場合には、装着位置である手首から通知を察知することができる。
【００２１】
図２及び３は、本実施形態の携帯端末１を使用した状態を示す模式図である。
例えば、携帯端末１を装着したユーザが車に乗っている場合には、図２（ａ）に示すように、運転中の常態は、進行方向を見てハンドルを両腕で握って操舵操作を行っている。この場合には、矢印で示す方向に表示面が向いているために、正対して表示面を見ることができない。
この状態から、音声入力操作を行う場合には、図２（ｂ）に示すように、片方の腕でハンドルの操作って運転を維持しながら、ユーザの口元に携帯端末１を近づけて、入力に対して、声で予定の確認等の指示を行う。この状態は、音声入力が可能な状態であると共に、矢印で示すように正対して表示面を見ることが可能な状態となっている。
このため、応答の通知は、携帯端末１が口元にある場合には、矢印で示すように表示面と正対でき、見られる範囲にあるため、画面表示を行う。
これに対して、口元以外の常態の姿勢等にある場合には、表示面が視認できる方向に向いておらず、また、詳細を視認できる距離にはないため、音声や振動により通知を行う。
したがって、ユーザは、通知の確認で表示を見るために運転姿勢を変えることなく通知を確認することができ、運転操作の妨げになることがない。これに対して、姿勢が口元である場合には視認できる状態であるため、情報量の多い画面表示で通知を確認することができる。
自転車の走行中についても、図３（ａ）及び（ｂ）に示すように、走行中は、ハンドルを両腕で握って、進行方向を向いて運転を行っている。このため、運転中の常態では、表示面が視認できる方向に向いておらず、また、詳細を視認できる距離にはない。このため、応答の通知は、携帯端末１が口元にある場合には、画面表示を行い、口元以外の常態の姿勢等にある場合には、音声や振動により通知を行う。
【００２２】
図４は、このような携帯端末１の機能的構成のうち、応答確認処理を実行するための機能的構成を示す機能ブロック図である。
応答確認処理とは、音声入力の結果の通知を、通知時点の姿勢に応じて異なる方法で行う一連の処理をいう。
【００２３】
応答確認処理を実行する場合には、図４に示すように、ＣＰＵ１１において、音声検出部５１と、姿勢監視部５２と、応答生成部５３と、出力制御部５４と、が機能する。
また、記憶部１９の一領域には、姿勢情報記憶部７１が設定される。
姿勢情報記憶部７１には、音声入力時の姿勢情報が記憶される。音声入力時の姿勢情報とは、音声入力時の姿勢として携帯端末１をユーザの口元に近づけている時のセンサ部１６のセンサ値である。
【００２４】
音声検出部５１は、入力部１７に入力された音声を検出する。
【００２５】
姿勢監視部５２は、音声入力時の装置の姿勢（本実施形態においては、ユーザの口元付近）を姿勢情報記憶部７１に記憶させる。
また、姿勢監視部５２は、音声の応答を出力する際の装置の姿勢を判定する。具体的には、姿勢監視部５２は、声の応答を出力する際の姿勢が音声入力時の装置の姿勢（本実施形態においては、ユーザの口元付近）であるか否かを判定する。
【００２６】
応答生成部５３は、音声検出部５１によって検出された音声に対応する応答を生成する。具体的には、応答生成部５３は、例えば、予定を確認する音声入力が検出された場合には、予定の有無や予定の内容の情報を取得して、応答を生成する。
【００２７】
出力制御部５４は、表示出力、音声出力、振動出力を行うように出力部１８を制御する。具体的には、出力制御部５４は、出力時点において、音声入力時の姿勢であった場合には、予定の内容を表示出力させる。また、出力制御部５４は、非音声入力時の姿勢であった場合には、表示画面を見られる姿勢にないため、予定の有無を音声出力／振動出力させるように出力部１８を制御する。
【００２８】
図５は、図４の機能的構成を有する図１の携帯端末１が実行する応答確認処理の流れを説明するフローチャートである。
応答確認処理は、ユーザによる入力部１７への応答確認処理開始の操作により開始される。
【００２９】
ステップＳ１１において、音声検出部５１は、音声が入力されたか否かを判定する。
音声が入力されなかった場合には、ステップＳ１１においてＮＯと判定されて、待機状態となる。
音声が入力された場合には、ステップＳ１１においてＹＥＳと判定されて、処理はステップＳ１２に進む。
【００３０】
ステップＳ１２において、姿勢監視部５２は、当該姿勢を姿勢情報記憶部７１に記憶させる。
【００３１】
ステップＳ１３において、応答生成部５３は、音声検出部５１により検出された入力に対応する応答を生成する。音声検出部５１により検出された入力が例えば、予め設定された予定の確認である場合には、応答生成部５３は、予定の有無と、予定の内容の情報を取得して、応答を生成する。
【００３２】
ステップＳ１４において、姿勢監視部５２は、音声が入力された姿勢か否かを判定する。
音声が入力された姿勢でない場合には、ステップＳ１４においてＮＯと判定されて、処理はステップＳ１５に進む。
【００３３】
ステップＳ１５において、出力制御部５４は、非音声入力時の姿勢であり、出力部１８の画面を視認することができない状態（図２（ａ）や図３（ａ）の状態）であるため、音声や振動により音声入力の結果を出力する。ユーザは、姿勢を変える必要がなく音声入力の結果を確認することができる。その後、応答確認処理は終了する。
【００３４】
音声が入力された姿勢の場合には、ステップＳ１４においてＹＥＳと判定されて、処理はステップＳ１６に進む。
【００３５】
ステップＳ１６において、出力制御部５４は、音声入力時の姿勢であり、出力部１８の画面を視認することができる状態（図２（ｂ）や図３（ｂ）の状態）であるため、出力部１８の画面により音声入力の結果を出力する。ユーザは、画面を見て通知を確認することができる。その後、応答確認処理は終了する。
【００３６】
上述したようなリスト型の携帯端末１においては、ユーザに情報を伝えるＵＩ（Ｕｓｅｒ  Ｉｎｔｅｒｆａｃｅ）には画面表示／音／バイブレーション（振動）などが用いられるが、自動車の運転中にリスト端末を操作する場合、画面を視認する必要のあるＵＩでは運転に支障をきたす可能性があり好適ではない。しかし、バイブレーション（振動）や音のみではユーザが満足するリッチな情報をもたらすことはできないという欠点がある。
そこで、本実施形態の携帯端末１においては、加速度センサとジャイロ等のセンサ部１６からの情報で姿勢の変化を常時監視し、特定の姿勢（入力操作を行った姿勢：口元）になったときに、ユーザは画面を見ていられる余裕を持った状態にあると判定し、音声入力におけるコマンド実行の結果は画面表示で詳細に通知する。それ以外の姿勢の場合には、ユーザは自動車を運転中であり手はハンドルを握っていなければならない状態等のユーザは画面を見ていられる余裕を持った状態でないと判定して、音声入力におけるコマンド実行の結果は音や振動で簡素にユーザに通知する。
このように構成することで、携帯端末１は、ユーザの状態に適した通知を行うことができるようになる。
【００３７】
以上のように構成される携帯端末１は、入力部１７と、出力部１８と、応答生成部５３と、姿勢監視部５２と、出力制御部５４と、を備える。
入力部１７は、音声入力を行う。
出力部１８は、情報を表示する。また、画面表示以外の方法で情報を出力する。
応答生成部５３は、入力部１７への音声の入力に対する応答を生成する。
姿勢監視部５２は、入力部１７への音声の入力があった時点の姿勢を検出する。
出力制御部５４は、応答生成部５３により生成された音声の入力に対する応答の出力時に、姿勢監視部５２により入力部１７への音声の入力があった時点の姿勢が検出された場合には、出力部１８により音声の入力に対する応答を表示させるように制御し、入力部１７への音声の入力があった時点の姿勢以外の姿勢が検出された場合には、出力部１８により音声の入力に対する応答を出力させるように制御する。
これにより、携帯端末１においては、ユーザが画面を見ることができる状態の時には画面表示を行い、それ以外は、音や振動で情報を出力するために、ユーザの状況に適した情報の出力が行われて、ユーザは確実に欲する情報を知ることができ、かつ、必要な情報量で情報を知ることができることとなる。また、他の動作に集中しているときには、情報量の多い手法（画面表示）では出力を行わないために、動作の集中を妨げることがないために、ユーザは安心して動作が行えると共に、確実に情報を知りうることができる。
また、音声の入力があった時点の姿勢とすることで、同じ動作において、確実に画面表示を行わせることができるために、ユーザは画面表示を行う姿勢を習得しやすく、また、装置の設計としてはユーザ個々の姿勢の個性も加味して姿勢を特定することができるようになり、姿勢の検出精度も高めることができる。
【００３８】
姿勢監視部５２は更に、入力部１７への音声の入力前の姿勢を検出する。
出力制御部５４は、音声の入力に対する応答の出力時に、姿勢監視部５２により音声の入力前の姿勢が検出された場合には、出力部１８により音声の入力に対する応答を振動や音等の画面表示以外で出力させるように制御する。
これにより、携帯端末１においては、姿勢監視部５２により音声の入力前の姿勢が検出された場合には、音や振動で情報を出力するために、ユーザの状況に適した情報の出力することができる。
【００３９】
出力部１８は、音又は振動によって音声の入力に対する応答を出力する。
これにより、携帯端末１においては、他の動作を行っている場合でも確実にユーザは出力結果を感知することができる。
【００４０】
入力部１７は、音声の入力部分が出力部１８の近傍にあり、使用者の口元付近での入力操作によって音声が入力可能となる。
姿勢監視部５２は、使用者の口元付近の姿勢を入力部１７への音声の入力があった時点の姿勢として検出する。
これにより、携帯端末１においては、ユーザは違和感なく画面表示を確認することができる。
【００４１】
姿勢監視部５２は、装置の姿勢をセンシングするセンサ部１６からの情報に基づいて、音声入力手段への音声の入力があった時点の姿勢を検出する。
これにより、携帯端末１においては、精度の高い姿勢の検出を行うことができる。
【００４２】
携帯端末１は、使用者の腕に装着して使用するリスト型端末として構成される。
これにより、携帯端末１においては、他の操作をしている場合でも情報を確実に確認することができる。
【００４３】
なお、本発明は、上述の実施形態に限定されるものではなく、本発明の目的を達成できる範囲での変形、改良等は本発明に含まれるものである。
【００４４】
上述の実施形態では、特定の姿勢として入力操作を行った姿勢：口元で出力手法を変えるように構成したが、例えば、音声入力前に基準の位置から口元へと移動し音声入力後に基準の位置へと戻っていた姿勢変化と状態と、音声入力後に基準の位置へと戻らず口元に位置し続けた状態とで、出力手法を変えるように構成してもよい。
即ち、“ハンドルを握った姿勢→口元に端末を持っていった姿勢→ハンドルを握った姿勢”であった場合は音声入力におけるコマンド実行の結果に対する出力を音や振動で通知し、“ハンドルを握った姿勢→口元に端末を持っていった姿勢→そのまま”であった場合は画面表示で通知する。
また、例えば、音声入力前から音声入力後で姿勢変化があった否かに応じて、出力手法を変えるように構成してもよい。
即ち、“ハンドルを握った姿勢→ハンドルを握った姿勢のまま音声入力→ハンドルを握った姿勢”であった場合は、画面を見られない状態であると判断して、音声入力におけるコマンド実行の結果に対する出力を音や振動で通知し、“ハンドルを握った姿勢→ハンドルを握った姿勢のまま音声入力→ハンドルを握った姿勢以外の姿勢”であった場合は、画面を見られる状態に姿勢変化したと判断して画面表示で通知する。
【００４５】
また、上述の実施形態では、自動車と自転車の運転を例にして説明したが、これに限られず、例えば、歩行しているとき等、装置の操作ではなく他の意識的な動作をしている最中に装置を操作する場合に動作するように構成することができる。
【００４６】
また、上述の実施形態では、画面を見られる状態として、入力操作をしている装置の姿勢とそれ以外の姿勢で動作するように構成したが、画面を見ることができる装置の姿勢を検出することができればよく、例えば、予め登録しておいた画面を見ることができる装置の姿勢に合致した場合に動作するように構成してもよい。
【００４７】
また、上述の実施形態では、画面を見られる状態の特定をセンサ部１６で装置の姿勢を検出して行うように構成したが、画面を見られる状態を特定できればよく、例えば、装置に撮像手段を設けて、撮像した画像を解析することによって、画面を見られる状態を特定するように構成してもよい。
【００４８】
また、上述の実施形態では、本発明が適用される携帯端末１は、スマートウォッチを例として説明したが、特にこれに限定されない。
例えば、本発明は、応答確認処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、デジタルカメラ、スマートフォン、ポータブルゲーム機等に適用可能である。
【００４９】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が携帯端末１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００５０】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５１】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００５２】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００５３】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００５４】
以下に、本願の出願当初の特許請求の範囲に記載された発明を付記する。
［付記１］
音声入力を行う音声入力手段と、
情報を表示する第１の出力手段と、
画面表示以外の方法で情報を出力する第２の出力手段と、
前記音声入力手段への音声の入力があった時点の姿勢を検出する検出手段と、
前記音声の入力に対する応答の出力時に、前記検出手段により前記音声入力手段への音声の入力があった時点の姿勢が検出された場合には、前記第１の出力手段により前記音声の入力に対する応答を表示させるように制御し、前記音声入力手段への音声の入力があった時点の姿勢以外の姿勢が検出された場合には、前記第２の出力手段により前記音声の入力に対する応答を出力させるように制御する制御手段と、
を備えることを特徴とする情報出力装置。
［付記２］
前記検出手段は更に、前記音声入力手段への音声の入力前の姿勢を検出し、
前記制御手段は、
前記音声の入力に対する応答の出力時に、前記検出手段により前記音声の入力前の姿勢が検出された場合には、前記第２の出力手段により前記音声の入力に対する応答を出力させるように制御する、
ことを特徴とする付記１に記載の情報出力装置。
［付記３］
音声入力を行う音声入力手段と、
情報を表示する第１の出力手段と、
画面表示以外の方法で情報を出力する第２の出力手段と、
前記音声入力手段への音声の入力前後の姿勢を検出する検出手段と、
前記音声の入力に対する応答の出力時に、前記検出手段により前記音声入力手段への音声の入力前後で検出された姿勢に変化があった場合には、前記第１の出力手段により前記音声の入力に対する応答を表示させるように制御し、前記音声入力手段への音声の入力前後で検出された姿勢に変化がなかった場合には、前記第２の出力手段により前記音声の入力に対する応答を出力させるように制御する制御手段と、
を備えることを特徴とする情報出力装置。
［付記４］
前記第２の出力手段は、音又は振動によって前記音声の入力に対する応答を出力する、
ことを特徴とする付記１乃至３に記載の情報出力装置。
［付記５］
使用者の腕に装着して使用するリスト型端末として構成される、
ことを特徴とする付記１乃至４の何れか１つに記載の情報出力装置。
［付記６］
音声入力を行う音声入力手段と、情報を表示する第１の出力手段と、画面表示以外の方法で情報を出力する第２の出力手段と、を備える情報出力装置で実行される情報出力方法であって、
前記音声入力手段への音声の入力があった時点の姿勢を検出する検出ステップと、
前記音声の入力に対する応答の出力時に、前記検出ステップにより前記音声入力手段への音声の入力があった時点の姿勢が検出された場合には、前記第１の出力手段により前記音声の入力に対する応答を表示させるように制御し、前記音声入力手段への音声の入力があった時点の姿勢以外の姿勢が検出された場合には、前記第２の出力手段により前記音声の入力に対する応答を出力させるように制御する制御ステップと、
を含むことを特徴とする情報出力方法。
［付記７］
音声入力を行う音声入力手段と、情報を表示する第１の出力手段と、画面表示以外の方法で情報を出力する第２の出力手段と、を備える情報出力装置で実行される情報出力方法であって、
前記音声入力手段への音声の入力前後の姿勢を検出する検出ステップと、
前記音声の入力に対する応答の出力時に、前記検出ステップにより前記音声入力手段への音声の入力があった時点の姿勢が検出された場合には、前記第１の出力手段により前記音声の入力に対する応答を表示させるように制御し、前記音声入力手段への音声の入力があった時点の姿勢以外の姿勢が検出された場合には、前記第２の出力手段により前記音声の入力に対する応答を出力させるように制御する制御ステップと、
を含むことを特徴とする情報出力方法。
［付記８］
音声入力を行う音声入力手段と、情報を表示する第１の出力手段と、画面表示以外の方法で情報を出力する第２の出力手段と、を備える情報出力装置を制御するコンピュータを、
前記音声入力手段への音声の入力があった時点の姿勢を検出する検出手段、
前記音声の入力に対する応答の出力時に、前記検出手段により前記音声入力手段への音声の入力があった時点の姿勢が検出された場合には、前記第１の出力手段により前記音声の入力に対する応答を表示させるように制御し、前記音声入力手段への音声の入力があった時点の姿勢以外の姿勢が検出された場合には、前記第２の出力手段により前記音声の入力に対する応答を出力させるように制御する制御手段、
として機能させることを特徴とするプログラム。
［付記９］
音声入力を行う音声入力手段と、情報を表示する第１の出力手段と、画面表示以外の方法で情報を出力する第２の出力手段と、を備える情報出力装置を制御するコンピュータを、
前記音声入力手段への音声の入力前後の姿勢を検出する検出手段、
前記音声の入力に対する応答の出力時に、前記検出手段により前記音声入力手段への音声の入力前後で検出された姿勢に変化があった場合には、前記第１の出力手段により前記音声の入力に対する応答を表示させるように制御し、前記音声入力手段への音声の入力前後で検出された姿勢に変化がなかった場合には、前記第２の出力手段により前記音声の入力に対する応答を出力させるように制御する制御手段、
として機能させることを特徴とするプログラム。
【符号の説明】
【００５５】
１・・・携帯端末，１１・・・ＣＰＵ，１２・・・ＲＯＭ，１３・・・ＲＡＭ，１４・・・バス，１５・・・入出力インターフェース，１６・・・センサ部，１７・・・入力部，１８・・・出力部，１９・・・記憶部，２０・・・通信部，２１・・・ドライブ，３１・・・リムーバブルメディア，５１・・・音声検出部，５２・・・姿勢監視部，５３・・・応答生成部，５４・・・出力制御部，７１・・・姿勢情報記憶部
【図１】
0006459684.tif 000002
【図２】
0006459684.tif 000003
【図３】
0006459684.tif 000004
【図４】
0006459684.tif 000005
【図５】
0006459684.tif 000006